(57)【要約】【課題】  喉・気管支・肺に薬剤を投与する薬剤吐出装置において、簡単な構成で薬剤が付着した気流路を清潔な状態に保つ。【解決手段】  吸入口を介して利用者に吸入させるための薬剤を吐出する本発明の薬剤吐出装置は前記吸入口に連結し、前記利用者の吸入により前記薬剤を吸入口へと導く気流路を形成しうる流路部材と、前記流路部材内に着脱可能に装着しうる、前記気流路の内壁を形成するための内壁面形成部材とを有する。【選択図】  図１
2008043732.tif 000002
【特許請求の範囲】
【請求項１】
吸入口を介して利用者に吸入させるための薬剤を吐出する薬剤吐出装置であって、
前記吸入口に連結し、前記利用者の吸入により前記薬剤を吸入口へと導く気流路を形成しうる流路部材と、
前記流路部材内に着脱可能に装着しうる、前記気流路の内壁を形成するための内壁面形成部材とを有することを特徴とする薬剤吐出装置。
【請求項２】
前記流路部材内に形成された前記気流路に対して前記薬剤を吐出する薬剤吐出部を有することを特徴とする請求項１に記載の薬剤吐出装置。
【請求項３】
前記薬剤吐出部が前記内壁面形成部材と一体として構成されていることを特徴とする請求項２に記載の薬剤吐出装置。
【請求項４】
前記内壁面形成部材は、可撓性を有することを特徴とする請求項１乃至３のいずれかに記載の薬剤吐出装置。
【請求項５】
前記内壁面形成部材は、前記流路部材内に密着しうるフィルムを有することを特徴とする請求項１又は２に記載の薬剤吐出装置。
【請求項６】
前記フィルムが複数層重ねられた状態で前記流路部材内に密着することを特徴とする請求項５に記載の薬剤吐出装置。
【請求項７】
前記内壁面形成部材は、前記気流路内で折り返すことがシートを有することを特徴とする請求項１又は２に記載の薬剤吐出装置。
【請求項８】
吸入口を介して利用者に吸入させるための薬剤を吐出する薬剤吐出装置であって、
前記吸入口に連結し、前記利用者の吸入により前記薬剤を吸入口へと導く気流路を形成しうる流路部材と、
前記流路部材内に形成された前記気流路に対して前記薬剤を吐出する薬剤吐出部と、
前記薬剤吐出部から吐出され、前記気流路の内壁に付着した薬剤を除去するための除去手段とを有することを特徴とする薬剤吐出装置。
【請求項９】
前記除去手段は、前記薬剤の吐出後に前記気流路の内壁を清拭するワイピング手段であることを特徴とする請求項８に記載の薬剤吐出装置。
【請求項１０】
前記ワイピング手段は、前記気流路の内壁を清拭するのと共に、前記薬剤吐出部の吐出口面をもワイプすることができることを特徴とする請求項９に記載の薬剤吐出装置。
【請求項１１】
前記薬剤吐出部は、前記薬剤に熱エネルギーを付与する電気熱変換素子または前記薬剤に機械エネルギーを付与する電気機械変換素子を有することを特徴とする請求項２乃至１０のいずれかに記載の薬剤吐出装置。
【発明の詳細な説明】
【技術分野】
【０００１】
本発明は、利用者に吸入させる薬剤を吐出する薬剤吐出装置に関するものである。
【背景技術】
【０００２】
特許文献１および特許文献２に開示された薬剤吐出装置により、電子カルテなどの情報データベースを組み合わせて活用する利用者への処置が具現化しつつある。こうした薬剤吐出装置は、利用者のカルテ及び処方箋の情報を含む利用者個人に関する情報を格納する記憶手段を有する。また、この薬剤吐出装置は、薬剤を利用者に吸入させる吸入器を兼ね備えた携帯端末でもある。そして、前記処方箋の情報にしたがって利用者が薬剤を吸入できる様に、利用者の吸気プロファイルに応じて吸入装置を制御して薬剤を噴霧させる噴霧制御手段を有するものである。
【特許文献１】国際公開ＷＯ９５／０１１３７号公報
【特許文献２】国際公開ＷＯ０２／０４０４３号公報
【発明の開示】
【発明が解決しようとする課題】
【０００３】
このような薬剤吐出装置の内部には通常、装置内の薬剤を吐出する箇所から利用者の体内に投与されるまでに、霧化された薬剤が運ばれる通路（以下、本明細書においては「気流路」という）が存在する。この場合、吐出された薬剤の一部は気流路の内壁面に付着してしまうことが考えられる。これを放置すると、薬剤が付着した気流路内壁に雑菌が繁殖するなど、衛生的に好ましくない。すなわち、従来の薬剤吐出装置では、患者が吸入を行う都度、装置内の気流路内壁が汚れるため、気流路を形成する部材自体を取り外して洗浄するか、又は新品に交換しなければならないという未解決の課題があった。
【０００４】
本発明は、上記従来の技術の有する未解決の課題に鑑みてなされたものであり、薬剤吐出装置内の気流路の汚染に容易に対応できる薬剤吐出装置を提供することを目的とするものである。
【課題を解決するための手段】
【０００５】
上記課題に鑑み、本発明の薬剤吐出装置は、吸入口を介して利用者に吸入させるための薬剤を吐出する薬剤吐出装置であって、前記吸入口に連結し、前記利用者の吸入により前記薬剤を吸入口へと導く気流路を形成しうる流路部材と、前記流路部材内に着脱可能に装着しうる、前記気流路の内壁を形成するための内壁面形成部材とを有することを特徴とする。
【０００６】
また、上記課題に鑑み、本発明の別の薬剤吐出装置は、吸入口を介して利用者に吸入させるための薬剤を吐出する薬剤吐出装置であって、前記吸入口に連結し、前記利用者の吸入により前記薬剤を吸入口へと導く気流路を形成しうる流路部材と、前記流路部材内に形成された前記気流路に対して前記薬剤を吐出する薬剤吐出部と、前記薬剤吐出部から吐出され、前記気流路の内壁に付着した薬剤を除去するための除去手段とを有することを特徴とする。
【発明の効果】
【０００７】
本発明の薬剤吐出装置によれば、気流路内にさらに新しい内壁面を形成しうる、着脱可能な内壁面形成部材を設けたので、吸入後に利用者が該内壁面形成部材を取り外せば、容易に付着した薬剤を除去することができる。その結果、簡単な操作で気流路を清潔に保つことができる。
【０００８】
また、本発明の別の薬剤吐出装置によれば、薬剤吐出装置の使用後に、気流路内に付着した薬剤を除去することが出来るので、装置内の気流路を衛生的に保つことが出来る。また、気流路を形成する部材を洗浄したり、または毎回交換する手間を減らすことができる。
【発明を実施するための最良の形態】
【０００９】
本発明の薬剤吐出装置の一実施形態として、利用者が携帯して所持できるようにした吸入装置を例にして説明する。図１に本発明の一実施形態としての吸入装置の構成図を示す。また、図２には、図１に示した吸入装置の電気的構成を表すブロック図を示す。吸入装置は、装置本体１に対して、流路部材３及び利用者が吸入するために口または鼻などをつける吸入口（マウスピース）２が取り付けられた構成である。流路部材３の一端は、利用者が吸入口２から吸入を行うと流路部材３内に気流が形成されるように開口（空気取り入れ口４）が設けられている。流路部材３の他端は吸入口２に連結している。利用者が吸入を行うと、空気取り入れ口４から吸入口２の向きに気流が発生する。そのとき、流路部材３内の気流路に対して薬剤を吐出すると、薬剤が吸入口２の方へと運ばれ、利用者の口内に投与される。
【００１０】
ここで本明細書において「流路部材」とは、薬剤吐出装置内で薬剤が吐出された箇所から吸入口までの薬剤の通り道である気流路を形成する部材を意味する。すなわち、流路部材内に形成された空間が「気流路」となる。
【００１１】
しかし、気流路内に吐出された薬剤の一部は、気流路の内壁に付着したまま残ってしまうことが懸念される。流路部材３及び吸入口２を装置本体に対して、着脱可能とすれば、毎回洗浄することもできる。しかし、本吸入装置は、気流路の内壁に付着した薬剤を除去する機構を有し、流路部材３を毎回洗浄する必要がない。流路部材３を構成する材料は特に限定されず、薬剤吐出装置の仕様によって任意に選びうる。例として、ブラスチック、金属、ゴム部材などが挙げられる。なお、流路部材と吸入口とは互いに連結可能に別体として構成されていても良いし、一体的に構成されていても良い。
【００１２】
図２に示す制御部８は、装置本体１内に設けられ、吐出ヘッド６ａの駆動を始めとして、吸入装置全体の動作を制御するＣＰＵである。利用者の吸入によって、気流路内に発生する負圧を検知するための圧力センサー７から、吸入を検知した信号が出力されると、それと同期して薬剤の吐出を開始するべく、制御部８は吐出ヘッド６ａに駆動信号を送信する。その他、吸入装置の操作、吐出条件など任意の情報を利用者の視覚により認識させるための表示部（ディスプレイ）９を設けても良い。１０は電源スイッチ、１１は吸入装置の電源が入っている場合に点灯する電源表示ＬＥＤである。
【００１３】
本発明において、薬剤吐出部（吐出ヘッド）は任意の吐出エネルギー発生素子を有する。吐出エネルギー発生素子としては、薬剤に熱エネルギーを付与する電気熱変換素子又は機械エネルギーを付与する電気機械変換素子を例示できる。すなわち、薬剤の吐出方法としては、電気熱変換素子を用いて薬剤に熱エネルギーを付与して吐出口から吐出させる方法（サーマルジェット方式）、薬剤に機械エネルギーを付与する電気機械変換素子（例えば圧電素子）の振動圧を用いて吐出口から薬剤を吐出する方法を例示できる。吐出方法については、薬剤の種類などに応じて選択可能である。
【００１４】
サーマルジェット方式を用いた場合、個々の液体吐出ユニットについて、吐出口の口径、吐出に利用される熱パルスの熱量、電気熱変換素子としてのマイクロ・ヒーターなどのサイズ精度、再現性を高くすることが可能である。このため、狭い液滴径分布を達成することが可能である。また、ヘッドの製作コストが低く、ヘッドを頻繁に交換する必要がある小型の装置への適用性も高い。従って、薬剤吐出装置に携帯性や利便性が求められる場合には、特に、サーマルジェット式の吐出装置が好ましい。
【００１５】
本発明において、吐出ヘッドは、薬剤を収容する薬剤タンクと一体として薬剤吐出カートリッジを構成していても良いし、薬剤タンクとは別体として構成されていても良い。薬剤吐出カートリッジは、図１においては後述する内壁面形成部材５と一体となっているが、一般的には装置本体１内に取り付けることが可能なように取付け部が設けられており、吐出ヘッドは気流路内に薬剤を吐出できるように、気流路内に向けられている。
【００１６】
本発明に用いられる薬剤とは、薬理的、生理的な作用を示す医薬用化合物の薬剤のみならず、医薬用化合物に加えて更に、嬌味嬌臭目的の成分、香料、染料、顔料なども含まれる概念である。そして、薬剤は液体でも粉末でも構わない。
【００１７】
また、本発明に用いられる薬液とは、液体の薬剤、または薬剤を含む液媒体を言う。薬液には、任意の添加剤を含んでよい。液中の薬剤の状態は、溶解、分散、乳化、懸濁、スラリーのいずれでも良く、液中に均一化されていればなお良い。
【００１８】
薬剤として薬液を用いる場合、液の主媒体は水または有機物が好ましく、生体に投与されることを考慮すると水が主媒体であることが好ましい。
【００１９】
本発明の特徴である、気流路内に付着した薬剤を除去する機構としては、以下のようなものが挙げられる。一つは、薬剤の吐出後に、薬剤が付着してしまった気流路の内壁面に対して新たな内壁面を形成することである。また、別の方法としては、薬剤の吐出後に、薬剤が付着してしまった気流路の内壁面を清拭するワイピング手段を設けることが挙げられる。
【００２０】
気流路の内壁面は、薬剤が運ばれる気流に接するので衛生的である必要があるが、上記のような方法によれば、次回の使用時にも清潔な気流路に対して薬剤を吐出することができる。かつ、毎回流路部材３を交換ないし取り外して洗浄する必要がないので、ユーザーフレンドリーである。
【００２１】
以下に、具体的な実施形態を示す。
【００２２】
（実施形態１）
図１に示すように、本実施の形態による吸入装置は、装置本体１と、装置本体１に支持された流路部材３及びマウスピース２と、流路部材３内に着脱自在に嵌挿された内壁面形成部材５を有する。
【００２３】
内壁面形成部材５は、流路部材３及びマウスピース２に対して着脱可能に構成され、マウスピース２は、装置本体１に対して着脱可能に構成されている。内壁面形成部材５の少なくとも一部分は可撓性のある材料で作られているため、流路部材３及びマウスピース２に対する着脱は容易である。
【００２４】
ここで本明細書において「内壁面形成部材」とは、流路部材の内壁に薬剤が直接付着することを防止できる作用を有するものであればよく、特に流路部材に着脱可能に構成され、流路部材に装着された場合には気流路の内壁を形成する部材を意味する。すなわち、図１を見れば明らかなように、内壁面形成部材５を装着しない場合は流路部材３の表面の一部が「気流路の内壁」を形成するが、内壁面形成部材５を装着した場合は、本部材が気流路の内壁を形成する。なお、内壁面形成部材は流路部材の内壁面全体にわたっていることが好ましいが、汚染の程度によってはこれに限定されず、一部分でも構わない。
【００２５】
このような吸入装置を用いて利用者は例えば１日３回薬剤を吸入する。そして内壁面形成部材５は、吸入毎に交換する。また、流路部材３及びマウスピース２は、例えば１日に１回交換して使用するものとする。
【００２６】
内壁面形成部材５の材料は、特に限定されないが、流路部材３に着脱しやすく、また、薬剤が付着しても薬剤と化学反応を起こさない材料であることが好ましい。典型的には、プラスチック材料、ゴム材料などが考えられる。図示したような円筒形で中がくりぬかれた部材は、樹脂成形などで容易に製造可能である。
【００２７】
吸入のたびに内壁面形成部材５を交換することで、毎回清潔な気流路に対して薬剤を吐出することが可能である。
【００２８】
図１に示したように、薬剤吐出部としての吐出ヘッド６ａ及び薬剤タンク６ｂが、内壁面形成部材５と一体として構成されていることも好ましい。吐出ヘッド及び薬剤タンクが毎回使い捨ての場合、内壁面形成部材５の取り外しと一度で吐出ヘッド等の取り外しが可能となるからである。
【００２９】
流路部材３あるいは内壁面形成部材５の内側に形成される気流路の形状は、図１においては円柱となっているが、特に限定されず、角柱などでも良い。
【００３０】
図３は、吸入装置の動作を説明するフローチャートである。
【００３１】
まず、利用者は、流路部材３及びマウスピース２と装置本体１を合体させる。さらに利用者は、吐出ヘッド６ａと薬剤タンク６ｂを内蔵している内壁面形成部材５を、マウスピース２に合体させる。
【００３２】
利用者によって、電源スイッチが押され（ステップＳ００１）、電源オン状態となる（ステップＳ００２）。電源がオンすることで電源表示ＬＥＤ１１が点灯する。制御部８は、装置内部の初期設定を実行する（ステップＳ００３）。その後、内壁面形成部材５が付いているか否かを電気信号によって検出する（ステップＳ００４）。内壁面形成部材５を検出できなければ、ＮＯと判断、ステップＳ００７に遷移して、自動的に電源オフし、ステップＳ００８で終了する。
【００３３】
内壁面形成部材５を検出できたならＹＥＳと判断し、ステップＳ００５に遷移する。ステップＳ００５では、患者の吸入動作を圧力センサー７で検出する。患者の吸入動作を検出できなければ、ＮＯとし、ステップＳ００５に戻る。患者の吸入動作を検出できれば、ＹＥＳと判断し、ステップＳ００６に遷移する。ステップＳ００６では、表示部９に“吐出中”を表示し、薬剤タンク６ｂに収容された薬液を吐出ヘッド６ａから所定量吐出するように制御し、ステップＳ００７に遷移する。ステップＳ００７で、制御部８は装置電源をオフし、ステップＳ００８で終了する。装置電源がオフするので、電源表示ＬＥＤは滅灯し、ＬＣＤ表示部の表示も全て消える。吸入終了後、利用者は、吐出ヘッド６ａと薬剤タンク６ｂを内蔵している内壁面形成部材５を、マウスピース２と装置本体１から外す。また、例えば１日３回の吸入後、利用者はマウスピース２を装置本体１から外して操作を終了する。
【００３４】
（実施形態２）
本発明の第２の実施形態を表した吸入装置の斜視図を図４に示す。図５は、図４に示した吸入装置の断面図である。
【００３５】
本実施形態では、実施形態１で示した内壁面形成部材５を薄いフィルム１２に変えた。内壁面形成部材としてのフィルム１２は、流路部材３の表面の一部である気流路の内壁面に密着しており、気流路の形状にほとんど影響を与えない。したがって、フィルム１２を備えた気流路の場合も、そうでない場合も、吸入により発生する気流は変化せず、同様の吸入状態を実現できる。吸入後利用者が、薬剤が付着したフィルム１２をはがせば、付着した薬剤を気流路から除去することができ、フィルム剥離後には新たな気流路の内壁面が形成される。
【００３６】
その際、フィルム１２は複数層重ねて設けておくことがより好ましい。一回の吸入で一枚のフィルムを剥がしていくことにより、流路部材３及びマウスピース２の交換回数をより少なくすることができる。
【００３７】
図４に示すように、本実施形態による吸入装置は、吸入装置本体１と、当該装置本体１に支持された流路部材３と、流路部材３の内壁面に密着する、内壁面形成部材としてのフィルム１２と、を有する。吐出ヘッド６ａと薬剤タンク６ｂ（合わせて薬剤吐出カートリッジを構成する）は、装置本体１内に取り付けられ、吐出ヘッド６は気流路内に薬剤を吐出できるように方向付けられている。
【００３８】
流路部材３内には、利用者の吸入により気流が発生する。
【００３９】
フィルム１２は、図４に示されているように、ロール状になっており、流路部材３の表面の一部である気流路の内壁面に対して複数層で密着している（図４では２層を示している）。利用者がフィルムを一層ずつ剥離できるように、フィルム１２には一層ごとにフィルムつまみ１４が設けられている。利用者は、吸入後にフィルムつまみ１４を引っ張ることで、気流路の内壁面１周分のフィルムを剥がす。このようにすれば、次回の吸入時にも清潔な気流路に薬剤を吐出することが可能である。一層ごとに剥離しやすいよう、切り込み１３を入れるとより良い。
【００４０】
そして、フィルムの最後が、吸入によって汚れたとき流路部材３を交換する。また、吐出ヘッド６ａと薬剤タンク６ｂを内蔵する薬剤吐出カートリッジ６は、薬剤タンク６ｂに１週間分の薬液を収容しておけば、１週間に一回交換すればよい。例えば、一日３回吸入する場合には、フィルムを２１層としておくと、流路部材３と薬剤吐出カートリッジ６の交換を同時に行うことできる。
【００４１】
吸入装置の電気的構成や装置の操作順序などは、実施形態１と同様なので省略する。
【００４２】
フィルムの張り方は特に限定されない。図４に示したように、切り込み１３を介してロール状に繋がっている構成でも良いし、各層のフィルムがそれぞれ分離していても良い。また、フィルムつまみ１４の位置も任意である。図４では吸入口２側に設けたが、空気取り入れ口１２側に設けても良い。この場合は、フィルムつまみ１４が吸入の邪魔になることがないため、好ましい形態である。
【００４３】
一方、気流路の内壁面に密着しているフィルム１２を吸入口２の部分まで設けることもできる。そのような実施形態の吸入装置の断面図を図６に示す。利用者が口をつける部分にもフィルム１２があり、使用後にはフィルムを剥離するため、吸入口を清潔に保つことも可能となる。その場合には、フィルムの剥がしやすさの観点から、フィルムつまみは一層ごとに複数設けることが好ましい（フィルムつまみ１４及び１５）。
【００４４】
（実施形態３）
本発明の第３の実施形態を表した吸入装置の斜視図を図７に示す。図８は、図７に示した吸入装置の断面図である。
【００４５】
本実施形態では、実施形態２で示したようにフィルム１２を剥離する構成ではなく、内壁面形成部材としてのシート１５を吸入後に気流路内で折り返す構成である。シート１５は、人間の力で容易の折り曲げることが可能な程度の軟らかさを有するプラスチックシートなどが好ましく用いられる。シート１５は気流路の内壁面に密着しており、気流路の形状にほとんど影響を与えない。したがって、シート１５を備えた気流路の場合も、そうでない場合も、吸入により発生する気流は変化せず、同様の吸入状態を実現できる。吸入後利用者が、シートつまみ１６を上に持ち上げると、シート１５は切り込み１７を境に折れ曲がり、吸入時には気流路の内壁面を形成していた面同士が接するようになる。その結果、気流路内壁表面から付着した薬剤が除去され、新たな気流路の内壁面が形成される。次回吸入時に薬剤が運ばれる気流は、薬剤が付着していない清潔な内壁面に生じる。
【００４６】
図９には、空気取り入れ口４方向から見た吸入装置であり、シート１５を折り返した状態を示している。気流路内の対向した位置２箇所に切り込みが入っており、所定の力以上の力でシート１５を持ち上げると、一気に反対側へと折れ曲がる。
【００４７】
図示はしていないが、シートつまみ１６は空気取り入れ口４側だけではなく、吸入口２側にも設け、両方のつまみを上に持ち上げるようにすれば、より簡単にシート１５を折り返すことができる。
【００４８】
切り込み１７を境にして気流路内壁の上半分には接着剤１８を塗っておいても良い。この場合、折り返した後に、シート１５同士が接着されるので、吸入後の誤操作によりシート１５が元に戻ってしまい、それに気がつかないなどの弊害が防止できる。接着剤１８の材料は特に限定されないが、指などが触れても指に接着剤がついてしまわない程度の粘度であることが好ましい。また、ポリビニルアルコールを原料とした切手の裏ののりのようなものを塗っておいても良い。これは液体に接触すると接着力を生じるので、吸入前は接着力がないが、薬液の吐出を行い、シート１５に薬液が付着することにより接着力が生じるので、好都合である。
【００４９】
シート１５は複数層として、繰り返し折り返すようにしても良い。その場合、シートごとにつまみを用意する必要がある。
【００５０】
（実施形態４）
実施形態２及び実施形態３ではつまみを利用してフィルム等を剥がすないしは折り返す方法を採用したが、利用者の簡単な操作で、自動的にフィルムがはがれるような構成にしても良い。
【００５１】
そのような吸入装置の一例としてフィルムをロール状に巻き取る方法を例示する。
【００５２】
図１０には、空気取り入れ口４の方向から見た吸入装置の断面のうち、装置本体１を除いた部分を示す。流路部材３の外側上部には巻き取り用のロール１９とロール室２０が設置され、流路部材３と接続されている。使用後のフィルムは気流路内からロール１９へ巻き取られて行く。気流路内からロール室２０へのフィルムの移動は次のように行われる。気流路内では支持板２２が回転し、フィルムの移動を促す。ロール１９には導入膜２１があり、導入膜２１は予め支持板２２と接してあり、支持板２２が回転することで使用済みのフィルムを移動させ、導入膜へ接合させる。ポッチ２３を押すことで、ポッチ２３にある爪が使用済みフィルムを積層してある状態から離型し、同ポッチによって使用済みフィルムが支持板上の導入膜へ接合される。この際に使用面フィルムが導入膜へ接合するようにフィルム端付近に接合剤を設けておくと良い。接合剤は接着性の材料でよく、また静電作用での接合でも良い。流路部材３の外周面にはポッチ２３の通路を設けておく。これによりロール１９を回転させて支持板２２が連動して回転し、使用済みフィルムが更に連動して移動し、ロール１９に巻き取られて行く。この時にブロック２４によってポッチ２２はフィルムから離れ、回転に従って初期位置に戻る仕組みとなっている。一連の動作を繰り返す際は前回の使用済みフィルムが次回のための導入膜となる。
【００５３】
ロール１９の制御は使用者自身がしてもよく、モーターなどの回転機構を設けた上で制御部を介してプログラムに基づいて自動で行われても良い。使用者が動作させる場合、ロール１９に回転用のレバーを設け、レバーを回転させてロール１９が回転し、上記の動作が実行される。
【００５４】
巻き取る方式として流路部材３の内部で巻き取る方式を図１１に例示する。
図１０の場合と同様にポッチ２３によって積層フィルムから使用済みフィルムを離型し、支持板２２の外周に沿ってポッチ２３によって使用済みフィルムを移動させる。ポッチ２３の通路やブロック２４などは同様に構成することで、ポッチ２２は初期位置に戻る。
【００５５】
これにより、使用面フィルムは支持板２２の外周面に移動し、一連の動作を繰り返すと支持板２２の外周面に使用済みフィルムが積層して行く。この動作についても前記と同様にモーターやギアレールなどの回転機構を設けた上で制御部を介してプログラムに基づいて自動で行われても良い。
【００５６】
流路部材３の内部に巻き取る方式において、流路部材３の外周面にポッチ２３を引導するためのレールやリード部材を１周半設け、且つ半周分は切り替えてスイッチバックできる複線構造としても良い。これにより、ポッチ２３の移動経路は流路部材３外周の半周を往復するだけで使用面フィルムは１周分移動して新しい面に変えることができる。
【００５７】
（実施形態５）
本発明の第５の実施形態を表した吸入装置の断面図を図１２に示す。本実施形態の吸入装置は、流路部材３により形成された気流路の内壁面に付着した薬剤の除去手段として、流路内壁面に当接しているワイパー２５を有している。ワイパー２５により気流路内壁面に付着した薬剤をふき取る。ワイパー２５の構成としては、薬剤を拭き取ることができれば、特に限定されない。ワイパー２５には、薬剤を吸入できるような吸収体を備えても良い。また、ブレード状の構造として、別途薬剤の回収機構を設けても良い。
【００５８】
なお、ワイパー２５に替えて吸引ポンプを有する吸引パイプを採用しても構わない。
【００５９】
ワイパー２５はワイパー支持棒２６によって支持されている。ワイパー支持棒２６は、図１２において折曲がっている部分がばね機構となっており、ワイパー２５が気流路内壁面に常に当接するように、付勢されている。なお、図１２においてワイパー１９及びワイパー支持棒２０を実線で表している状態は、流路内壁面に当接している状態であり、破線で表している状態は、図１３で後述する退避位置に収納されている状態を表す。利用者の吸入が終わり、薬剤の吐出が停止すると、制御部８は、モーター支持柱２８によって支持されたステッピングモーター２７に動作信号を送信する。ワイパー２５は、ステッピングモーター２７によって気流路の内壁面を一周回転し、付着した薬剤を拭き取る。（図１３には、ステッピングモーター２７を含む本実施形態の吸入装置の電気的構成をブロック図で示す。）
図１３は、図１２の吸入装置を吸入口２側から見た図である。流路部材３及び吸入口２の一部分は、ワイパー２５を収納するために一部欠けた構造となっており、そこにスライドカバー２９がある。ワイパー２５は、利用者が吸入を行っている間は、スライドカバー２９付近の空間に収納されている（図１４）。
【００６０】
制御部８は、ワイパー２５が図１４に示したワイパー２５の位置（退避位置）から、図１３において左回りで気流路内壁面を清拭しながら１回転するように、ステッピングモーター２７の回転を制御する。これにより、ワイパー２５は、流路内壁面に付着した薬剤を拭き取り、前記退避位置に戻るように制御される。
【００６１】
このように、吐出終了のたびにワイパー２５が、前記回転動作を繰り返すことで気流路内壁面を清潔な状態に保つことができる。
【００６２】
そして、例えば１日３回吸入した後、利用者がスライドノブ３０をもち、スライドカバー２９を吸入口２方向にスライドさせる。流路部材にあいた開口部からワイパー２５をタオルなどで拭き取り、アルコール洗浄などを施し、清掃する。その後、スライドカバー２９を元に戻す。これにより、ワイパー２５を清潔な状態に戻すことができる。
【００６３】
ワイパー２５は、付着した薬剤を拭き取ることが目的なので、吐出ヘッド６ａよりも吸入口２側を拭き取ることができるように配置されていれば良い。しかし、図１２に示したように吐出ヘッド６ａも拭き取ることができる長さにしておくと、気流路内壁の拭き取りと共に、吐出ヘッドの吐出口面のワイプを兼ねることができて好都合である。すなわち、ワイパー２５は流路部材３内において、吐出ヘッド６ａの位置から吸入口２までの長さであることが好ましい。
【図面の簡単な説明】
【００６４】
【図１】本発明の一実施形態による吸入装置を示す外観図である。
【図２】図１の吸入装置の電気的構成を説明するブロック図である。
【図３】吸入装置の動作を示すフローチャートである。
【図４】本発明の第２の実施形態による吸入装置を表す斜視図である。
【図５】図４に示した吸入装置の断面図である。
【図６】図４に示した吸入装置の変形例であり、フィルム１２を吸入口２の部分まで設けた吸入装置の断面図である。
【図７】本発明の第３の実施形態による吸入装置を表す斜視図である。
【図８】図７に示した吸入装置の断面図である。
【図９】空気取り入れ口４方向から見た図７に示す吸入装置であり、シート１５を折り返した状態である。
【図１０】本発明の第４の実施形態による吸入装置における気流路付近の断面図である。
【図１１】図１０の変形例を示す吸入装置の断面図である。
【図１２】本発明の第５の実施形態による吸入装置を表す斜視図である。
【図１３】図１２の吸入装置を吸入口２側から見た図である。
【図１４】図１３においてワイパー１９の退避位置を拡大した図である。
【図１５】ステッピングモーター２１を含む、図１２に示した吸入装置の電気的構成を説明するブロック図である。
【符号の説明】
【００６５】
１  装置本体
２  マウスピース
３  流路部材
４  空気取り入れ口
５  内壁面形成部材
６  薬剤吐出カートリッジ
６ａ  吐出ヘッド
６ｂ  薬剤タンク
７  圧力センサー
８  制御部
９  表示部
１０  電源スイッチ
１１  ＬＥＤ
１２  フィルム
１３  切り込み
１４  フィルムつまみ
１５  シート
１６  シートつまみ
１７  切り込み
１８  接着剤
１９  ロール
２０  ロール室
２１  導入膜
２２  支持板
２３  ポッチ
２４  ブロック
２５  ワイパー
２６  ワイパー支持棒
２７  ステッピングモーター
２８  モーター支持柱
２８  スライドカバー
３０  スライドノブ
【図１】
2008043732.tif 000003
【図２】
2008043732.tif 000004
【図３】
2008043732.tif 000005
【図４】
2008043732.tif 000006
【図５】
2008043732.tif 000007
【図６】
2008043732.tif 000008
【図７】
2008043732.tif 000009
【図８】
2008043732.tif 000010
【図９】
2008043732.tif 000011
【図１０】
2008043732.tif 000012
【図１１】
2008043732.tif 000013
【図１２】
2008043732.tif 000014
【図１３】
2008043732.tif 000015
【図１４】
2008043732.tif 000016
【図１５】
2008043732.tif 000017